(57)【要約】【課題】ＢＷＢの配線長を短くし、信号の伝送路損失を低減する。【解決手段】配線情報登録手段１ａａには、ＢＷＢ２ａの、シェルフ２のスロット間の配線関係を示す配線情報が登録される。信号線情報受信手段１ａｂは、スロット毎におけるユニット１ａ，１ｂ，・・・の、信号線群Ｓ１〜Ｓ４の接続先スロットを示す信号線接続情報を受信する。信号線情報記憶手段１ａｃは、信号線接続情報を記憶する。接続切替え手段１ａｄは、信号線接続情報に従って、信号線群Ｓ１〜Ｓ４が接続先のスロットに接続されるように、配線情報を参照して、信号線群Ｓ１〜Ｓ４と接続ピン群ＣＮ１〜ＣＮ４の接続を切替える。これにより、ＢＷＢ２ａの配線長を短くすることができ、信号の伝送路損失を低減できる。【選択図】　　　　図１
2004015132.tif 000002
【特許請求の範囲】
【請求項１】
シェルフのスロットにユニットを挿入する通信装置において、
ユニットの接続ピン群と嵌合されるバックワイヤードボードの接続ピン群の配線関係を示す配線情報を登録する配線情報登録手段と、
前記ユニットの信号線群の接続先スロットを示す信号線接続情報を受信する信号線情報受信手段と、
前記信号線接続情報を記憶する信号線情報記憶手段と、
前記信号線接続情報に従って前記信号線群が前記接続先スロットの前記ユニットに接続されるように、前記配線情報を参照して前記信号線群と前記ユニットの接続ピン群との接続を切替える接続切替え手段と、
を有することを特徴とする通信装置。
【請求項２】
アプリケーション毎の前記信号線接続情報が登録された制御ユニットを有することを特徴とする請求項１記載の通信装置。
【請求項３】
前記信号線情報受信手段は、前記制御ユニットから変更するアプリケーションに対応した前記信号線接続情報を受信することを特徴とする請求項２記載の通信装置。
【請求項４】
前記ユニットの接続ピン群を介して送受信される信号のエラーを検出し、警報信号を出力するエラー信号検出手段を有することを特徴とする請求項１記載の通信装置。
【請求項５】
前記信号線群と前記ユニットの接続ピン群との接続関係を参照して、前記信号線群に対する前記警報信号を認識する警報処理手段を有することを特徴とする請求項４記載の通信装置。
【発明の詳細な説明】
【０００１】
【発明の属する技術分野】
本発明は通信装置に関し、特に通信回線網に設置される通信装置に関する。
【０００２】
【従来の技術】
通信回線網に設置される通信装置は、光信号や電気信号を送受信するインターフェースユニット、信号をある単位に多重、分離する多重／分離ユニット、信号をアッドドロップ、クロスコネクトするユニット、これらのユニットを実装し、各ユニット間の接続をするシェルフから構成される。
【０００３】
図１４は、通信装置の各ユニット間の接続関係を示す図である。図に示すインターフェースユニット（以下、ＩＮＦユニット）ＩＮＦ１０１〜１０８は、通信回線網からの信号を送受信する。アッドドロップユニット（以下、ＡＤＭユニット）ＡＤＭ１０１〜ＡＤＭ１０４は、ＩＮＦユニットＩＮＦ１０１〜ＩＮＦ１０８よって送受信された信号をアッドドロップする。図に示すように、通信装置は、一般に同種のユニット（ＩＮＦユニット、ＡＤＭユニット）を複数有する。なお、図１４には、多重／分離ユニットを示してないが、ＡＤＭユニットＡＤＭ１０１〜ＡＤＭ１０４が、信号を多重／分離する機能を有している。
【０００４】
図１５は、ユニットのシェルフへの実装を説明する図である。シェルフ１０１は、正面に、各ユニットが挿入されるスロットを有し、背面に、配線によって各ユニット間を接続するバックワイヤードボード（以下、ＢＷＢ）１０２を有する。ＢＷＢ１０２は、シェルフ１０１の正面側に、各ユニットが有するコネクタと嵌合されるコネクタを有する。なお、ＢＷＢ１０２に示す斜線は、ＢＷＢ１０２のコネクタの、接続ピン群（接続ピンの集まり）を示す。
【０００５】
ＩＮＦユニットＩＮＦ１１１には、ＢＷＢ１０２のコネクタと嵌合されるコネクタが実装される。ＩＮＦユニットＩＮＦ１１１には、そのコネクタの接続ピンの集まりを示す接続ピン群ＣＮ１０１〜ＣＮ１０４が示してある。ＩＮＦユニットＩＮＦ１１１は、図に示さないが、通信装置が有すべき特定の機能を実現するための回路と接続された信号線群Ｌｉｎｅ１０１〜Ｌｉｎｅ１０４を有する。信号線群Ｌｉｎｅ１０１〜Ｌｉｎｅ１０４は、バッファＢｕｆｆ１０１〜Ｂｕｆｆ１０４を介して、コネクタの接続ピン群ＣＮ１０１〜ＣＮ１０４と接続されている。ＩＮＦユニットＩＮＦ１１２は、ＩＮＦユニットＩＮＦ１１１と同様のハードウェア構成となっている。
【０００６】
図１５において、ＩＮＦユニットＩＮＦ１１１，ＩＮＦ１１２を、シェルフ１０１の上下２段のスロットから挿入する。ＩＮＦユニットＩＮＦ１１１，ＩＮＦ１１２の接続ピン群ＣＮ１０１〜ＣＮ１０４は、ＢＷＢ１０２のコネクタの接続ピン群に嵌合され、各ユニット間が接続される。そして、１つの信号線群、及び接続ピン群で、他のスロットに挿入されているユニットと通信を行う。すなわち、ＩＮＦユニットＩＮＦ１１１，ＩＮＦ１１２は、４つの信号線群を有し、４つの接続ピン群を介して、４つのユニットと通信を行うことが可能である。
【０００７】
ところで、近年、通信回線網における信号の高速、大容量化に伴い、ユニット間の接続配線の本数が増大し、ＢＷＢの配線が困難となってきた。そこで、信号の伝送速度を高速化することによって、ユニット間の接続パターン本数の低減、ＢＷＢの配線の容易化を図っている。そして、高速伝送による電気的特性の劣化を防止するため、ＢＷＢの材料には、低誘電率材料が用いられる。
【０００８】
【発明が解決しようとする課題】
しかし、従来の通信装置では、開発、保守性の面から、同種のユニットは、同じハードウェア構成となっており、信号線とコネクタの接続が固定されているため、ＢＷＢの配線長を短くすることができない。図１６は、図１５の通信装置のシェルフの背面から見たＢＷＢの一部配線関係を示す図である。ＢＷＢ１０２に実装される各ユニットの接続ピン群ＣＮ１０１〜ＣＮ１０４も図示してある。両矢印は、ＢＷＢ１０２の配線関係を示す。例えば、ＩＮＦユニットＩＮＦ１１１の接続ピン群ＣＮ１０４とＩＮＦユニットＩＮＦ１１２の接続ピン群ＣＮ１０４間の配線長は、各ユニットにおいて、信号線群と接続ピン群の接続が固定されているため、接続ピン群の位置を変更して、配線長を短くすることができない。
【０００９】
このため、ＢＷＢの配線長の長い配線により、信号の伝送路損失が生じてしまうという問題点があった。
本発明はこのような点に鑑みてなされたものであり、バックワイヤードボードの配線長を短くして信号の伝送路損失を低減する通信装置を提供することを目的とする。
【００１０】
【課題を解決するための手段】
本発明では、上記課題を解決するために、シェルフのスロットにユニットを挿入する通信装置において、ユニットの接続ピン群と嵌合されるバックワイヤードボードの接続ピン群の配線関係を示す配線情報を登録する配線情報登録手段と、前記ユニットの信号線群の接続先スロットを示す信号線接続情報を受信する信号線情報受信手段と、前記信号線接続情報を記憶する信号線情報記憶手段と、前記信号線接続情報に従って前記信号線群が前記接続先スロットの前記ユニットに接続されるように、前記配線情報を参照して前記信号線群と前記ユニットの接続ピン群との接続を切替える接続切替え手段と、を有することを特徴とする通信装置が提供される。
【００１１】
ここで、図１に示すように、配線情報登録手段１ａａは、バックワイヤードボード２ａの接続ピン群の、スロット間における配線関係を示す配線情報が登録される。信号線情報受信手段１ａｂは、ユニット１ａ，１ｂ，・・・の、信号線群Ｓ１〜Ｓ４の接続先スロットを示す信号線接続情報を受信する。信号線情報記憶手段１ａｃは、信号線接続情報を記憶する。接続切替え手段１ａｄは、信号線接続情報に従って、信号線群Ｓ１〜Ｓ４が接続先のスロットに接続されるように、配線情報を参照して、信号線群Ｓ１〜Ｓ４と接続ピン群ＣＮ１〜ＣＮ４の接続を切替える。これにより、バックワイヤードボードのコネクタ間の配線長を短くすることが可能となる。
【００１２】
【発明の実施の形態】
以下、本発明の実施の形態を図面を参照して説明する。
図１は、本発明の原理図である。図１に示すように、通信装置は、ユニット１ａ，１ｂ，・・・、シェルフ２から構成される。シェルフ２は、ユニット１ａ，１ｂ，・・・が有するコネクタと嵌合されるコネクタが実装されたＢＷＢ２ａを背面に有する。また、シェルフ２は、ユニット１ａ，１ｂ，・・・が挿入されるためのスロット（ユニットの差込口）を上下２段に有する。通信装置は、ユニット１ａ，１ｂ，・・・が、スロットからシェルフ２に実装されて通信動作を行う。
【００１３】
ユニット１ａは、配線情報登録手段１ａａ、信号線情報受信手段１ａｂ、信号線情報記憶手段１ａｃ、及び接続切替え手段１ａｄを有する。ユニット１ａには、コネクタが実装され、図示している接続ピン群ＣＮ１〜ＣＮ５は、そのコネクタの接続ピンの集まりを示す。信号線群Ｓ１〜Ｓ４は、他のスロットに挿入されるユニットと通信を行うための信号線の集まりを示す。１つの信号線群で他の１つのユニットと通信を行う。
【００１４】
配線情報登録手段１ａａは、ＢＷＢ２ａの接続ピン群の、スロット間における配線関係を示す配線情報が登録される。
信号線情報受信手段１ａｂは、接続ピン群ＣＮ５を介して、スロットに挿入されるユニット１ａ，１ｂ，・・・の、信号線群Ｓ１〜Ｓ４の接続先スロットを示す信号線接続情報を受信する。
【００１５】
信号線情報記憶手段１ａｃは、信号線情報受信手段１ａｂによって受信された信号線接続情報を記憶する。
接続切替え手段１ａｄは、信号線情報記憶手段１ａｃに記憶された信号線接続情報に従って、信号線群Ｓ１〜Ｓ４が接続先のスロットに接続されるように、配線情報登録手段１ａａに登録されている配線情報を参照して、信号線群Ｓ１〜Ｓ４と接続ピン群ＣＮ１〜ＣＮ４の接続を切替える。
【００１６】
ユニット１ｂ，・・・は、ユニット１ａと同様の構成を有する。ユニット１ａ，１ｂ，・・・は、具体的には、ＩＮＦユニット、ＡＤＭユニットである。
このような通信装置において、ユニット１ａ，１ｂ，・・・が、シェルフ２に実装され、例えば、電源が投入されたとき、信号線情報受信手段１ａｂは、スロットに挿入されるユニット１ａ，１ｂ，・・・の、信号線群Ｓ１〜Ｓ４の接続先スロットを示す信号線接続情報を受信する。信号線情報記憶手段１ａｃは、信号線情報受信手段１ａｂによって受信された信号線接続情報を記憶する。接続切替え手段１ａｄは、信号線情報記憶手段１ａｃに記憶された信号線接続情報に従って、信号線群Ｓ１〜Ｓ４が接続先のスロットに接続されるように、配線情報登録手段１ａａに登録されている配線情報を参照して、信号線群Ｓ１〜Ｓ４と接続ピン群ＣＮ１〜ＣＮ４の接続を切替える。
【００１７】
以上より、ＢＷＢ２ａの配線長が短くなるように配線し、この配線情報を配線情報登録手段１ａａに登録する。接続切替え手段１ａｄは、信号線接続情報に従うように、配線情報を参照して、信号線群Ｓ１〜Ｓ４と接続ピン群ＣＮ１〜ＣＮ４の接続を切替えるので、ＢＷＢ２ａの配線長を短くすることができ、信号の伝送路損失を低減することができる。
【００１８】
次に、本発明の実施の形態について説明する。図２は、本発明の通信装置の概略斜視図である。図に示すように、通信装置１０は、シェルフ１１、ＩＮＦユニットＩＮＦ１〜ＩＮＦ１６、ＡＤＭユニットＡＤＭ１〜ＡＤＭ８、制御ユニットＣＮＴ１〜ＣＮＴ４、及びファンＦＡＮ１，ＦＡＮ２から構成されている。
【００１９】
シェルフ１１の背面には、各ユニット（ＩＮＦユニットＩＮＦ１〜ＩＮＦ１６、ＡＤＭユニットＡＤＭ１〜ＡＭ８、制御ユニットＣＮＴ１〜ＣＮＴ４、）に実装されるコネクタと嵌合されるコネクタが実装されたＢＷＢが配置されている。各ユニットは、そのユニット面を垂直にして、シェルフ１１の前面のスロットから挿入される。各ユニットに実装されているコネクタは、ＢＷＢのコネクタと嵌合され、シェルフ１１に実装される。
【００２０】
制御ユニットＣＮＴ１〜ＣＮＴ４は、ＩＮＦユニットＩＮＦ１〜ＩＮＦ１６、ＡＤＭユニットＡＤＭ１〜ＡＤＭ８を制御、監視し、またクロックを供給したりする。
【００２１】
ファンＦＡＮ１，ファンＦＡＮ２は、シェルフ１１の底部、上部に配置される。ファンＦＡＮ１は、通信装置１０の外部から、空気を吸気し、ファンＦＡＮ２は、通信装置１０の内部の空気を排気する。これにより、各ユニットは、空冷される。
【００２２】
図３は、ユニットのシェルフへの実装を説明する図である。なお、図３に示すシェルフ１１は、図２のシェルフ１１の斜め後方から見た斜視図であり、シェルフ１１の背面に配置されるＢＷＢ１２が示してある。ファンＦＡＮ１，ＦＡＮ２は、図示を省略している。
【００２３】
ＢＷＢ１２は、シェルフ１１の正面側の面に、各ユニットのコネクタと嵌合されるコネクタが実装される。図に示す斜線は、ＢＷＢ１２のコネクタの接続ピン群（接続ピンの集まり）を示す。
【００２４】
ＩＮＦユニットＩＮＦ２は、ＢＷＢ１２のコネクタと嵌合されるコネクタが実装される。接続ピン群ＣＮ１１〜ＣＮ１４は、コネクタの接続ピンの集まりを示す。実際は、多くの接続ピン群の集まりを有するが（接続ピン群ＣＮ１１〜ＣＮｎ）、ここでは、説明を簡単にするために、４つの接続ピン群を有するとする。また、ＩＮＦユニットＩＮＦ２は、信号線群Ｌｉｎｅ１〜Ｌｉｎｅ４と接続ピン群ＣＮ１１〜ＣＮ１４との接続を切替えるスイッチＳＷ１を有している。信号線群Ｌｉｎｅ１〜Ｌｉｎｅ４は、図に示さないが、通信装置が有すべき特定の機能を実現するための回路（例えば、ＬＳＩやＦＰＧＡなどのデバイス）に接続されている。また、１つの信号線群で、他のユニットと通信を行う。なお、この回路は、伝送パスの終端機能も具備している。
【００２５】
ＩＮＦユニットＩＮＦ１，ＩＮＦ３〜ＩＮＦ１６は、ＩＮＦユニットＩＮＦ２と同様に、ＢＷＢ１２のコネクタと嵌合される接続ピン群、信号線群と接続ピン群の接続を切替えるスイッチを有する。また、ＡＤＭユニットＡＤＭ１〜ＡＤＭ８、制御ユニットＣＮＴ１〜ＣＮＴ４も、ＩＮＦユニットＩＮＦ２と同様の、ＢＷＢ１２のコネクタと嵌合されるコネクタが実装され、信号線とコネクタの接続を切替えるスイッチを有する。なお、開発、保守性の面から、同種のユニットは、同じハードウェア構成となっている。
【００２６】
ＩＮＦユニットＩＮＦ２、及び他の各ユニットは、シェルフ１１の正面側のスロットから挿入され、シェルフ１１に実装される。
図４は、図３の通信装置のシェルフの背面から見たＢＷＢの一部配線関係を示す図である。ＩＮＦユニットＩＮＦ１〜ＩＮＦ４，ＩＮＦ９〜ＩＮＦ１２の各コネクタの接続ピン群ＣＮ１１〜ＣＮ１４が図示してある。図の両矢印で示すように、ＢＷＢ１２は配線され、各ユニット間の接続ピン群を接続する。
【００２７】
図３に戻って、ＩＮＦユニットＩＮＦ２の信号線群Ｌｉｎｅ１とＩＮＦユニットＩＮＦ１０の信号線群Ｌｉｎｅ１が接続されなければならないとする。図４より、ＩＮＦユニットＩＮＦ２の接続ピン群ＣＮ１４とＩＮＦユニットＩＮＦ１０の接続ピン群ＣＮ１１とが接続されているので、スイッチＳＷ１は、ＩＮＦユニットＩＮＦ２の信号線群Ｌｉｎｅ１と接続ピン群ＣＮ１４が接続されるように（後述詳細に説明する）、接続を切替える。
【００２８】
すなわち、図４に示すように、ＢＷＢ１２の配線長が短くなるように配線をしておく。各ユニットのスイッチは、そのＢＷＢ１２において、所望の動作ができるように、信号線群とコネクタの接続ピン群の接続を切替える。これにより、ＢＷＢ１２の配線長を短くでき、信号の伝送路損失を低減することができる。
【００２９】
図５は、ＩＮＦユニットの詳細ハードウェア構成図である。図に示すＩＮＦユニットＩＮＦ１は、スイッチＳＷ１、メモリ２０，２２、受信部２１、スロット認識部２３、制御部２４、警報処理部２５、バッファＢｕｆｆ１〜Ｂｕｆｆｎ、接続ピン群ＣＮ１１〜ＣＮｎ、接続ピン群ＣＮＡ〜ＣＮＣを有する。なお、図２〜４において、各ユニット及びＢＷＢに実装されるコネクタの接続ピンの集まりを４つとして説明したが、前述したように実際は、多くの接続ピン群を有し、ｎ個の接続ピン群を有するものとして説明する。
【００３０】
スイッチＳＷ１は、制御部２４の制御によって、信号線群Ｌｉｎｅ１〜ＬｉｎｅｎとバッファＢｕｆｆ１〜Ｂｕｆｆｎの接続を切替える。信号線群Ｌｉｎｅ１〜Ｌｉｎｅｎは、図に示してないが、通信装置１０が有すべき特定の機能を実現するための回路に接続される。なお、この回路とスイッチＳＷ１の間には、図示してないがスイッチＳＷ１の切替えによる、信号のタイミングの違いを無くすため、ＦＩＦＯ（Ｆｉｒｓｔ　Ｉｎ　Ｆｉｒｓｔ　Ｏｕｔ）回路が設けられる。
【００３１】
メモリ２０は、ＢＷＢ１２の接続ピン群の、スロット間の配線関係を示す配線情報が登録される。図６は、メモリに登録される配線情報のテーブルの一例を示す。メモリ２０には、配線情報テーブル２０ａに示すように、スロット番号を示すＳｌｏｔＮｏ、接続ピン群の番号を示す接続ピン群Ｎｏ、接続先のスロット番号を示すＳｌｏｔＮｏ、接続先の接続ピン群の番号を示す接続ピン群Ｎｏが登録される。
【００３２】
ＳｌｏｔＮｏには、シェルフ１１のスロットに割り当てられた番号が登録される。具体的には、図２において、シェルフ１１の上段左側から、右側方向に、さらに下段左側から、右側方向に、順にＳｌｏｔＮｏが割り当てられる。
【００３３】
接続ピン群Ｎｏには、ＢＷＢ１２の各スロットにおける接続ピン群に割り当てられる番号が登録される。具体的には、図２において、ＩＮＦユニットＩＮＦ１の接続ピン群ＣＮ１１と嵌合される接続ピン群には接続ピン群１が、接続ピン群ＣＮ１２と嵌合される接続ピン群には接続ピン群２が割り当てられ、順に、接続ピン群ｎまで割り当てられる。
【００３４】
図６の例では、ＢＷＢ１２のＳｌｏｔ１における接続ピン群１は、Ｓｌｏｔ５の接続ピン群１と接続されている。Ｓｌｏｔ２における接続ピン群１は、Ｓｌｏｔ５における接続ピン群９と接続されている。
【００３５】
受信部２１は、各スロットにおけるユニットの、信号線群の接続先スロットを示す信号線接続情報を信号線群ＣＮＢから受信する。信号線接続情報は、制御ユニットＣＮＴ１〜ＣＮＴ４から送信される。
【００３６】
メモリ２２は、受信部２１によって受信された信号線接続情報を記憶する。図７は、メモリに記憶される信号線接続情報のテーブルの一例を示す。メモリ２２には、信号線接続情報テーブル２２ａに示すように、アプリケーションの種類を示すアプリケーションＮｏ、接続元のＳｌｏｔＮｏ、接続元のＳｌｏｔＮｏに実装されるユニットの信号線群を示すＬｉｎｅＮｏ、接続先のＳｌｏｔＮｏ、接続先のスロットに実装されるユニットの信号線を示すＬｉｎｅＮｏが記憶される。
【００３７】
図７の例では、Ｓｌｏｔ１に実装されるユニットの信号線群Ｌｉｎｅ１の接続先は、Ｓｌｏｔ５に実装されるユニットの信号線群Ｌｉｎｅ４である。また、Ｓｌｏｔ２に実装されるユニットの信号線群Ｌｉｎｅ１の接続先は、Ｓｌｏｔ１に実装されるユニットの信号線群Ｌｉｎｅ４である。
【００３８】
スロット認識部２３は、自ユニット（ＩＮＦユニットＩＮＦ１）が、シェルフ１１のどのスロットに接続されたかを認識する。接続ピン群ＣＮＣと嵌合されるＢＷＢ１２の接続ピンは、各スロットに１つの接続ピンを有する。ＢＷＢ１２のコネクタの接続ピンは、スロットを識別するための電圧が一意に生じるようになっている。スロット認識部２３は、どのスロットに対応した接続ピンに電圧が生じたかによって、ＩＮＦユニットＩＮＦ１が挿入されたスロットを認識する。
【００３９】
図８は、スロットを認識するためのコネクタとＢＷＢを示す図である。ＢＷＢ１２は、接続ピン群ＣＮＣと嵌合される接続ピン１２ａを有している。ＩＮＦユニットＩＮＦ１がＢＷＢ１２に実装されると、接続ピン１２ａは、コネクタＣＮＣの接続ピンと嵌合される。スロット認識部２３は、接続ピン１２ａが、接続ピン群ＣＮＣのどの接続ピンと嵌合されたかによって、どのスロットに実装されたかを認識する。
【００４０】
例えば、ＩＮＦユニットＩＮＦ１をスロット１に挿入、実装した場合、接続ピン群ＣＮＣの、スロット１に対応する接続ピンに電圧が生じる。スロット認識部２３は、スロット１に対応する接続ピンに電圧が生じていることを認識して、スロット１に実装されたことを認識する。
【００４１】
なお、ユニットに、ディップスイッチを実装し、ディップスイッチのスイッチを設定することによって、シェルフ１１のどのスロットに実装されたかを認識させるようにしてもよい。
【００４２】
制御部２４は、自ユニット（ＩＮＦユニットＩＮＦ１）が、どのスロットに挿入されたかをスロット認識部２３より認識する。制御部２４は、メモリ２２に記憶された信号線接続情報より、自ユニットのスロットの、信号線群の接続先のスロットを認識する。制御部２４は、認識したスロットの信号線接続情報に従うように、メモリ２０の接続情報を参照して、スイッチＳＷ１の信号線群Ｌｉｎｅ１〜Ｌｉｎｅｎとコネクタの接続ピン群ＣＮ１〜ＣＮｎの接続を切替える。
【００４３】
例えば、ＩＮＦユニットＩＮＦ１が、Ｓｌｏｔ１に挿入、実装されたとする。制御部２４は、スロット認識部２３より、Ｓｌｏｔ１に挿入、実装されたことを認識する。
【００４４】
制御部２４は、メモリ２２の信号線接続情報を読み込み、Ｓｌｏｔ１の、信号線群の接続先のスロットを認識する。ＩＮＦユニットＩＮＦ１は、Ｓｌｏｔ１に実装されているので、図７の例より、信号線群Ｌｉｎｅ１の接続先は、Ｓｌｏｔ５の信号線群Ｌｉｎｅ４であることを認識する。
【００４５】
制御部２４は、メモリ２０の配線情報を参照して、ＢＷＢ１２のＳｌｏｔ１におけるどの接続ピン群が、Ｓｌｏｔ５における接続ピン群と接続されているかを認識する。図６の例より、Ｓｌｏｔ１における接続ピン群１がＳｌｏｔ５の接続ピン群１と接続されていることを認識する。
【００４６】
制御部２４は、信号線群Ｌｉｎｅ１と接続ピン群ＣＮ１１が接続されるようにスイッチＳＷ１を切替える。
バッファＢｕｆｆ１〜Ｂｕｆｆｎは、スイッチＳＷ１と接続ピン群ＣＮ１〜ＣＮｎの間に接続され、信号の駆動を高め、雑音除去、波形整形をする。また、バッファＢｕｆｆ１〜Ｂｕｆｆｎは、例えば、送受信される信号の電圧が低く認識できない、又は信号が入出力されていないなどの信号エラーを検出し、警報信号を出力する。バッファＢｕｆｆ１〜Ｂｕｆｆｎは、信号エラーの種類に応じた警報信号を出力する。
【００４７】
ところで、バッファＢｕｆｆ１〜Ｂｕｆｆｎによって出力される警報信号は、スイッチＳＷ１によって、バッファＢｕｆｆ１〜Ｂｕｆｆｎと信号線群Ｌｉｎｅ１〜Ｌｉｎｅｎの接続が切替わるため、どの信号線群Ｌｉｎｅ１〜Ｌｉｎｅｎに対する警報信号か定まらない。
【００４８】
警報処理部２５は、バッファＢｕｆｆ１〜Ｂｕｆｆｎから警報信号を受信して、どの信号線群Ｌｉｎｅ１〜Ｌｉｎｅｎに対する警報信号かを認識する。図９は、警報処理部の詳細ハードウェア構成図である。警報処理部２５は、スイッチ情報メモリ２５ａ、アドレス生成部２５ｂ、アドレス変換部２５ｃ、警報収集メモリ２５ｄ、警報信号書き込み部２５ｅ、警報信号読み出し部２５ｆから構成される。
【００４９】
スイッチ情報メモリ２５ａは、スイッチＳＷ１の信号線群Ｌｉｎｅ１〜ＬｉｎｅｎとＢｕｆｆ１〜Ｂｕｆｆｎの接続状態を記憶する。
アドレス生成部２５ｂは、バッファＢｕｆｆ１〜Ｂｕｆｆｎの警報信号の種類に対応したアドレスを生成する。図１０は、警報信号のアドレス生成、アドレス変換を説明する図で、（ａ）はアドレス生成を説明する図、（ｂ）はアドレス変換を説明する図である。図１０（ａ）に示すように、各バッファは、３種類の警報信号を出力するとする。
【００５０】
例えば、バッファＢｕｆｆ１は、警報信号ＡＬＭ１−ｉ、警報信号ＡＬＭ１−ｉｉ、及び警報信号ＡＬＭ１−ｉｉｉの信号を出力する。バッファＢｕｆｆ２は、警報信号ＡＬＭ２−ｉ、警報信号ＡＬＭ２−ｉｉ、及び警報信号ＡＬＭ２−ｉｉｉの信号を出力する。バッファＢｕｆｆ３は、警報信号ＡＬＭ３−ｉ、警報信号ＡＬＭ３−ｉｉ、及び警報信号ＡＬＭ３−ｉｉｉの信号を出力する。バッファＢｕｆｆ４は、警報信号ＡＬＭ４−ｉ、警報信号ＡＬＭ４−ｉｉ、及び警報信号ＡＬＭ４−ｉｉｉの信号を出力する。アドレス生成部２５ｂは、各バッファの各警報信号に対応するように小さい数から順にアドレスを生成する（図１０（ｂ）の変換前アドレス）。なお、図１０（ａ）のＢｕｆｆの後ろの括弧には、バッファと接続されている信号線群を示している。
【００５１】
アドレス変換部２５ｃは、スイッチ情報メモリ２５ａに記憶されている接続状態に基づいて、アドレス生成部２５ｂによって生成されたアドレスを信号線群に対応して並べ替える。
【００５２】
例えば、図１０（ａ）に示すように、バッファＢｕｆｆ１と接続されている信号線群は、信号線群Ｌｉｎｅ３であり、各バッファは３種類の警報信号を有することから、アドレス変換部２５ｃは、警報信号ＡＬＭ１−ｉ〜ＡＬＭ１−ｉｉｉに生成されたアドレスを図１０（ｂ）の変換後アドレスに示すように、‘７，８，９’に変換する。バッファＢｕｆｆ２と接続されている信号線群は、信号線群Ｌｉｎｅ１であり、警報信号ＡＬＭ２−ｉ〜ＡＬＭ２−ｉｉｉに生成されたアドレスを‘１，２，３’に変換する。バッファＢｕｆｆ３と接続されている信号線群は、信号線群Ｌｉｎｅ４であり、警報信号ＡＬＭ３−ｉ〜ＡＬＭ３−ｉｉｉに生成されたアドレスを‘１０，１１，１２’に変換する。バッファＢｕｆｆ４と接続されている信号線群は、信号線群Ｌｉｎｅ２であり、警報信号ＡＬＭ４−ｉ〜ＡＬＭ４−ｉｉｉに生成されたアドレスを‘４，５，６’に変換する。
【００５３】
警報収集メモリ２５ｄは、指定されたアドレスに警報信号の状態を記憶する。
警報信号書き込み部２５ｅは、警報信号を受信すると、その警報信号に生成され、アドレス変換部２５ｃによって変換された警報収集メモリ２５ｄのアドレスに、警報信号状態を格納する。図１１は、メモリのアドレスと警報信号の関係を示す図である。図に示すように、警報信号書き込み部２５ｅは、警報信号ＡＬＭ２−ｉの警報信号を、例えば‘１’を受信すると、警報収集メモリ２５ｄのアドレス‘１’に格納する。
【００５４】
警報信号読み出し部２５ｆは、接続ピン群ＣＮＡを介して、制御ユニットＣＮＴ１〜ＣＮＴ４から、信号線群Ｌｉｎｅ１〜Ｌｉｎｅｎの信号状態の読み込み要求があると、警報収集メモリ２５ｄの警報信号の状態を読み込んで、制御ユニットＣＮＴ１〜ＣＮＴ４に返信する。
【００５５】
これにより、どのように信号線群と接続ピン群間の接続が変わっても、所定のアドレスを読み出せば、同じ信号線群における警報信号を読み出すことができる。すなわち、制御ユニットＣＮＴ１〜ＣＮＴ４は、スイッチＳＷ１によって、信号線の切替えが行われたことを意識することなく、信号線群Ｌｉｎｅ１〜Ｌｉｎｅｎに対する信号の警報信号を読み出すことができる。
【００５６】
メモリの接続情報の登録、信号線接続情報の記憶について説明する。
配線情報は、ＢＷＢ１２の接続ピン群の配線決定後、メモリ２０に登録（記憶）する。例えば、ＲＯＭなどに配線情報を記憶しておき、各ユニットの製造後、このＲＯＭをユニットに搭載する。また、各ユニットにフラッシュメモリなどを実装し、配線情報をダウンロードするようにしてもよい。なお、ＢＷＢ１２のコネクタ間の配線が短くなるように配線は決定される。
【００５７】
信号線接続情報は、通信装置１０の電源投入時に、制御ユニットＣＮＴ１〜ＣＮＴ４から送信され、メモリ２２に記憶される。また、制御ユニットＣＮＴ１〜ＣＮＴ４は、アプリケーション毎の信号線接続情報をメモリに記憶している。通信装置１０のアプリケーションを変更して動作させる場合、制御ユニットＣＮＴは、通信装置１０の外部にある監視制御装置からアプリケーション変更要求を受信し、要求のあったアプリケーションに対応する信号線接続情報を各ユニットへ送信する。図１２は、制御ユニットが有するメモリに記憶される信号線接続情報テーブルを示す。制御ユニットのメモリには、信号線接続情報テーブル１３に示すように、アプリケーション毎の、接続元のＳｌｏｔＮｏ、接続元のＳｌｏｔＮｏに実装されるユニットの信号線群Ｌｉｎｅ、接続先のＳｌｏｔＮｏ、接続先のスロットに実装されるユニットの信号線群Ｌｉｎｅが記憶される。
【００５８】
図１２の例では、アプリケーション１においては、Ｓｌｏｔ１に実装されるユニットの信号線群Ｌｉｎｅ１の接続先は、Ｓｌｏｔ５に実装されるユニットの信号線群Ｌｉｎｅ４である。また、アプリケーション２においては、Ｓｌｏｔ１に実装されるユニットの信号線群Ｌｉｎｅ１の接続先は、Ｓｌｏｔ５に実装されるユニットの信号線群Ｌｉｎｅ４である。
【００５９】
図１３は、アプリケーション変更における処理の流れを示す図である。制御ユニットＣＮＴ１〜ＣＮＴ４は、通信装置１０の外部にある監視制御装置からのアプリケーションの変更要求によって、以下のステップに従った動作を行う。
【００６０】
［ステップＳ１］制御ユニットＣＮＴ１〜ＣＮＴ４は、監視制御装置からアプリケーション変更コマンドを受信する。アプリケーション変更コマンドには、アプリケーションの変更要求とともに、変更すべきアプリケーションの種別情報も含まれる。
【００６１】
［ステップＳ２］制御ユニットＣＮＴ１〜ＣＮＴ４は、アプリケーション変更コマンドより、変更すべきアプリケーションに対応する信号線接続情報を選択する。例えば、監視制御装置から、アプリケーション２への変更要求があった場合、制御ユニットＣＮＴは、図１２に示すアプリケーション２の信号線接続情報を選択する。
【００６２】
［ステップＳ３］制御ユニットＣＮＴ１〜ＣＮＴ４は、選択した信号線接続情報を各ユニットへ送信する。
ＩＮＦユニットＩＮＦ１の動作について説明する。
【００６３】
ＩＮＦユニットＩＮＦ１は、電源の投入時、又はアプリケーションの変更により、信号線接続情報を受信する。受信した信号線接続情報は、メモリ２２に記憶される。
【００６４】
スロット認識部２３は、接続ピン群ＣＮＣの、電圧が生じている接続ピンによって、自ユニット（ＩＮＦユニットＩＮＦ１）が、シェルフ１１のどのスロットに接続されたかを認識する。
【００６５】
制御部２４は、メモリ２２に記憶された信号線接続情報に従って、信号線群Ｌｉｎｅ１〜Ｌｉｎｅｎが、接続先のスロットに接続されるように、メモリ２０の配線情報を参照して、スイッチＳＷ１を切替える。
【００６６】
これにより、バックワイヤードボードの配線長を短くすることができ、信号の伝送路損失を低減することができる。
なお、各ユニットにおいても、信号線接続情報を受信し、自ユニットがどのスロットに挿入されたかを認識し、他のスロットに実装されたユニットと所定の通信が行えるように信号線群と接続ピン群の接続を切替える。
【００６７】
（付記１）　シェルフのスロットにユニットを挿入する通信装置において、
ユニットの接続ピン群と嵌合されるバックワイヤードボードの接続ピン群の配線関係を示す配線情報を登録する配線情報登録手段と、
前記ユニットの信号線群の接続先スロットを示す信号線接続情報を受信する信号線情報受信手段と、
前記信号線接続情報を記憶する信号線情報記憶手段と、
前記信号線接続情報に従って前記信号線群が前記接続先スロットの前記ユニットに接続されるように、前記配線情報を参照して前記信号線群と前記ユニットの接続ピン群との接続を切替える接続切替え手段と、
を有することを特徴とする通信装置。
【００６８】
（付記２）　アプリケーション毎の前記信号線接続情報が登録された制御ユニットを有することを特徴とする付記１記載の通信装置。
（付記３）　前記信号線情報受信手段は、前記制御ユニットから変更するアプリケーションに対応した前記信号線接続情報を受信することを特徴とする付記２記載の通信装置。
【００６９】
（付記４）　前記ユニットの接続ピン群を介して送受信される信号のエラーを検出し、警報信号を出力するエラー信号検出手段を有することを特徴とする付記１記載の通信装置。
【００７０】
（付記５）　前記信号線群と前記ユニットの接続ピン群との接続関係を参照して、前記信号線群に対する前記警報信号を認識する警報処理手段を有することを特徴とする付記４記載の通信装置。
【００７１】
（付記６）　前記エラー信号検出手段は、前記信号のエラーの種類に応じて、異なった種類の警報信号を出力することを特徴とする付記４記載の通信装置。
（付記７）　前記信号線情報受信手段は、電源投入時に前記信号線接続情報を受信することを特徴とする付記１記載の通信装置。
【００７２】
【発明の効果】
以上説明したように本発明では、ユニットの信号線群の接続先スロットを示す信号線接続情報に従って、信号線群が接続先スロットのユニットに接続されるように、バックワイヤードボードの接続ピン群の、スロット間における配線情報を参照して、信号線群とユニットの接続ピン群との接続を切替えるので、バックワイヤードボードの配線長を短くすることができ、信号の伝送路損失を低減することができる。
【図面の簡単な説明】
【図１】本発明の原理図である。
【図２】本発明の通信装置の概略斜視図である。
【図３】ユニットのシェルフへの実装を説明する図である。
【図４】図３の通信装置のシェルフの背面から見たＢＷＢの一部配線関係を示す図である。
【図５】ＩＮＦユニットの詳細ハードウェア構成図である。
【図６】メモリに登録される配線情報のテーブルの一例を示す。
【図７】メモリに記憶される信号線接続情報のテーブルの一例を示す。
【図８】スロットを認識するためのコネクタとＢＷＢを示す図である。
【図９】警報処理部の詳細ハードウェア構成図である。
【図１０】警報信号のアドレス生成、アドレス変換を説明する図で、（ａ）はアドレス生成を説明する図、（ｂ）はアドレス変換を説明する図である。
【図１１】メモリのアドレスと警報信号の関係を示す図である。
【図１２】制御ユニットが有するメモリに記憶される信号線接続情報テーブルを示す。
【図１３】アプリケーション変更における処理の流れを示す図である。
【図１４】通信装置の各ユニット間の接続関係を示す図である。
【図１５】ユニットのシェルフへの実装を説明する図である。
【図１６】図１５の通信装置のシェルフの背面から見たＢＷＢの一部配線関係を示す図である。
【符号の説明】
１ａ，１ｂ　ユニット
１ａａ　配線情報登録手段
１ａｂ　信号線情報受信手段
１ａｃ　信号線情報記憶手段
１ａｄ　接続切替え手段
１０　通信装置
２，１１　シェルフ
２ａ，１２　ＢＷＢ
ＩＮＦ１〜ＩＮＦ１６　ＩＮＦユニット
ＡＤＭ１〜ＡＤＭ８　ＡＤＭユニット
ＣＮＴ１〜ＣＮＴ４　制御ユニット
２０，２２　メモリ
２１　受信部
２３　スロット認識部
２４　制御部
２５　警報処理部
Ｓ１〜Ｓ４，Ｌｉｎｅ１〜Ｌｉｎｅｎ　信号線群
Ｂｕｆｆ１〜Ｂｕｆｆｎ　バッファ
ＣＮ１〜ＣＮ４，ＣＮ１１〜ＣＮｎ　接続ピン群
【図１】
2004015132.tif 000003
【図２】
2004015132.tif 000004
【図３】
2004015132.tif 000005
【図４】
2004015132.tif 000006
【図５】
2004015132.tif 000007
【図６】
2004015132.tif 000008
【図７】
2004015132.tif 000009
【図８】
2004015132.tif 000010
【図９】
2004015132.tif 000011
【図１０】
2004015132.tif 000012
【図１１】
2004015132.tif 000013
【図１２】
2004015132.tif 000014
【図１３】
2004015132.tif 000015
【図１４】
2004015132.tif 000016
【図１５】
2004015132.tif 000017
【図１６】
2004015132.tif 000018